(57)【要約】【課題】特に、ハンディキャップを持った方が入浴する際に、たとえ両手を自由に使うことができないとしても、湯浴み着がめくれたり外れたりするという不都合を解消することの可能な湯浴み着を提供する。【解決手段】  入浴の際に着用する湯浴み着１００は、身体を覆う被覆部１１０と、被覆部１１０に取り付けられ、着用者の脚を通す筒状の脚通し部１２０と、被覆部１１０に取り付けられ又は被覆部と一体に形成され、着用者の身体に係止して被覆部１１０を身体に固着する係止部１３０と、を備えた。着用者の脚を通す筒状の脚通し部１１０を備えたことで、片脚又は両脚を湯浴み着１００に通すことができる。このため、身体を覆う被覆部１１０がめくれたり、外れたりする不都合を解消することができる。【選択図】図１
2014118635.tif 000002
【特許請求の範囲】
【請求項１】
入浴の際に着用する湯浴み着であって、
身体を覆う被覆部と、
前記被覆部に取り付けられ、着用者の脚を通す筒状の脚通し部と、
前記被覆部に取り付けられ又は前記被覆部と一体に形成され、着用者の身体に係止して前記被覆部を身体に固着する係止部と、
を備えたことを特徴とする、湯浴み着。
【請求項２】
前記係止部は、着用者の腹部に係止することを特徴とする、請求項１に記載の湯浴み着。
【請求項３】
前記係止部の幅は、前記被覆部の幅以上であることを特徴とする、請求項２に記載の湯浴み着。
【請求項４】
前記係止部は、着用者の肩部又は首部に係止することを特徴とする、請求項１に記載の湯浴み着。
【請求項５】
前記被覆部、前記脚通し部及び前記係止部の少なくとも一つには、防水処理が施されていることを特徴とする、請求項１〜４のいずれかに記載の湯浴み着。
【発明の詳細な説明】
【技術分野】
【０００１】
本発明は、入浴の際に身にまとう湯浴み着に関する。
【背景技術】
【０００２】
日本は世界でも稀にみる温泉大国である。掘削技術の進んだ現在では新しい温泉が次々と誕生している。身近なところでも温泉を楽しめるため、気軽に健康管理やストレス解消に効果が期待できる。温泉は誰にでも平等に入る権利がある。温泉をもっと多くの方に楽しんでもらいたいと様々な活動を行う団体も数多く存在する。
【０００３】
入浴の際に身にまとうものとして、湯浴み着（ゆあみぎ）が知られている（例えば、特許文献１参照）。湯浴み着は、湯着（ゆぎ）、ゆゆ着などの名称でも知られている。湯浴み着の本来の用途は、病気や怪我などで身体に傷を負ってしまった人が、それを負い目に感じずにこれまでと同様に入浴を楽しめるようにと、医学的な見地から使用されるようになったものである。近年はバスタオルと同様に、温泉や共同浴場などで混浴の際に肌を異性に見せないために着用する女性が増えている。また、旅館などでは、女性に気軽に混浴に入ってもらう目的で、着用を義務化しているところもあり、湯浴み着の利用は増加傾向にある。
【先行技術文献】
【特許文献】
【０００４】
【特許文献１】実開昭６３−１７５１１２号公報
【発明の概要】
【発明が解決しようとする課題】
【０００５】
ところで、ハンディキャップを持った方が温泉や共同浴場などに入浴する場合、さまざまな障壁があった。例えば、視覚にハンディキャップを持った方が入浴する場合には、浴場で杖を使用することが困難であることから、介助者による細心のサポートが必要である。視覚にハンディキャップを持った方が入浴する際には、片手は介助者の腕などを握り、もう片方の手は歩行上の物に触れるので、両手を自由に使うことができない。このため、タオル等で身体を隠すことはできない。
【０００６】
また、車いすを利用する方が入浴する場合は、介助者２名が肩を抱き抱えて移動し、３人目の介助者が湯船からサポートするのが一般的である。車いす利用者と介助者２名は常に密着する必要があることから、身体を隠すためにタオル等を巻いても外れやすく効果が薄い。また、タオル等の着用が不可の浴場の場合、介助者を含めた全員が身体を隠すことなく入浴しなければならない。
【０００７】
上記の問題は、タオル等で身体を隠す場合だけでなく、特許文献１に開示されるような従来の湯浴み着を着用する場合も同様であった。すなわち、特許文献１に開示されるような従来の湯浴み着は、介助者のサポートにより入浴することなどを意識したものではない。このため、両手を自由に使うことができないような状態では、湯浴み着が容易にめくれたり外れたりしてしまい、湯浴み着の目的を十分に達成することができないという問題があった。
【０００８】
そこで、本発明は、このような問題に鑑みてなされたもので、その目的とするところは、湯浴み着がめくれたり外れたりするという不都合を解消すること、特に、介助者のサポートにより入浴する場合など、たとえ両手を自由に使うことができないとしても、湯浴み着がめくれたり外れたりするという不都合を解消することの可能な湯浴み着を提供することにある。
【課題を解決するための手段】
【０００９】
上記課題を解決するために、本発明によれば、入浴の際に着用する湯浴み着であって、身体を覆う被覆部と、被覆部に取り付けられ、着用者の脚を通す筒状（輪状）の脚通し部と、被覆部に取り付けられ又は被覆部と一体に形成され、着用者の身体に係止して被覆部を身体に固着する係止部とを備えた、湯浴み着が提供される。
【００１０】
かかる発明によれば、着用者の脚を通す筒状の脚通し部を備えたことで、脚を湯浴み着に通すことができる。このため、身体を覆う被覆部がめくれたり外れたりする不都合を解消することができる。特に、両手を自由に使うことができない場合であっても、このような不都合を解消することができ、その利便性は非常に高い。また、湯船につかる際も、湯浴み着がめくれることを効果的に防止することが可能である。
【００１１】
係止部は、着用者の腹部に係止するようにしてもよい。男性用の湯浴み着の場合、被覆部は腹部より下であれば十分なこともある。このため、係止部を着用者の腹部（骨盤）に回して係止して、被覆部を身体に固着するように構成することができる。
【００１２】
また、係止部を着用者の腹部の周りに回して係止する湯浴み着では、その係止部の幅（身体の上下方向の長さ）を、被覆部の幅以上にすることができる。このような係止部の形態は、「パレオ」として知られる形態に類似している。係止部の幅を被覆部の幅以上とすることで、係止部を着用者の腹部に回したときに、係止部で被覆部を覆うことができる。このようにすると、外見では被覆部を視認することができず、単にバスタオルを巻いているように見せることができ、他人に違和感を与えない。
【００１３】
一方、係止部は、着用者の肩部又は首部に係止するようにしてもよい。女性用の湯浴み着の場合、被覆部は胸部にまで及ぶようにすることが要請される。そこで、被覆部で胸部までを被覆するようにし、係止部を着用者の肩部に係止したり、係止部を首部に回したりすることで、被覆部を身体に固着するように構成することが可能である。
【００１４】
さらに、上記被覆部、脚通し部及び係止部の少なくとも一つには、防水処理を施すことが可能である。一般的に湯浴み着はタオル等に比べ衛生的に優れているといわれるが、素材や使用頻度・管理状態など違いがあるので、一概にそうともいえない。そこで、防水処理を施すことで、衛生面に優れた湯浴み着とすることが可能である。なお、ここでいう防水処理には、水を弾くための撥水処理も含まれる。また、ここでいう防水処理には、素材・生地に何らかの防水処理を施すことのほか、もともと防水機能を有する素材・生地を用いることも含まれる。さらに、抗菌処理や肌触りの良さなど、衛生面を考慮した処理を施すことも可能である。
【発明の効果】
【００１５】
本発明によれば、被覆部に脚通し部を取り付けたことで、両手が自由に使えない状況においても、湯浴み着がめくれることを防止することができる。本発明のその他の効果については、以下の発明を実施するための形態の項でも説明する。
【図面の簡単な説明】
【００１６】
【図１】第１の実施形態にかかる湯浴み着の全体構成を示す図であり、（ａ）は脚通し部を筒状に広げた状態を示し、（ｂ）は脚通し部を畳んだ状態を示す。
【図２】湯浴み着の被覆部と脚通し部の部分を示す図であり、（ａ）は脚通し部を展開した状態を示し、（ｂ）は脚通し部を筒状にした状態を示す。
【図３】湯浴み着の被覆部と係止部の部分を示す図であり、（ａ）は平面図であり、（ｂ）は側面図である。
【図４】湯浴み着を着用する際の動作（１）を示す図である。
【図５】湯浴み着を着用する際の動作（２）を示す図である。
【図６】湯浴み着を着用する際の動作（３）を示す図である。
【図７】第２の実施形態にかかる湯浴み着を示す図であり、（ａ）は全体構成を示し、（ｂ）は着用した状態を示す。
【図８】図８の湯浴み着の詳細を示す図であり、（ａ）は展開した状態を示し、（ｂ）は真下方向から見た状態を示す。
【図９】第３の実施形態にかかる湯浴み着の被覆部と脚通し部の部分を示す図であり、（ａ）は脚通し部を展開した状態を示し、（ｂ）は（ａ）の反対面を示し、（ｃ）は脚通し部を筒状にした状態を示す。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（第１の実施形態）
第１の実施形態にかかる湯浴み着について、図１〜図６を参照しながら説明する。本実施形態の湯浴み着は、着用者の身体を覆う被覆部が腹部ほどまである男性用のものを想定している。図１は、湯浴み着の全体構成を示す図である。図２は、図１の湯浴み着の被覆部と脚通し部の部分を示す図である。図３は、図１の湯浴み着の被覆部と係止部の部分を示す図である。図４〜図６は、湯浴み着を着用する際の動作を示す図である。
【００１９】
まず、図１〜図３を参照しながら、本実施形態にかかる湯浴み着１００の構成を説明する。湯浴み着１００は、図１に示したように、身体を覆う被覆部１１０と、被覆部１１０に取り付けられ、着用者の脚を通す筒状の脚通し部１２０と、被覆部１１０に取り付けられ又は被覆部１１０と一体に形成され、着用者の身体に係止して被覆部１１０を身体に固着する係止部１３０とを備えて構成されている。以下、湯浴み着１００の各構成について詳細に説明する。
【００２０】
（被覆部１１０）
被覆部１１０は、図１、図２に示したように、方形状又は末広がりの台形状に構成されている。被覆部１１０の着用時の高さ方向の長さは、着用者の膝上ほどから腹部ほどまでを覆う長さであり、例えば３０ｃｍから４５ｃｍ程度とすることができる。これは男性用の被覆部１１０として適切な長さである。なお、着用者の身体の大きさに合わせるために各種のサイズを採用することや、男性用であっても、必要に応じて胸部まで覆うことができる長さとすることが可能である。
【００２１】
また、被覆部１１０の着用時の横方向の長さは、身体の周囲の半分から３分の２程度の長さであり、例えば、４０ｃｍから５０ｃｍ程度とすることができる。これは着用者の身体の必要な部分を覆うことができる長さである。なお後述するように、被覆部１１０は、パレオ状の係止部１３０でさらに覆われる。このことから、被覆部１１０のみで身体を完全に隠すように構成する必要はない。また、被覆部１１０の横方向の長さをあまりに長くしないことで、湯浴み着１００を座ったまま着用する際の利便性を高めている。
【００２２】
被覆部１１０には、図１、図２に示したように、２カ所に紐１１０ａ、１１０ｂが設けられている。この紐１１０ａ、１１０ｂは、パレオ状の係止部１３０に設けられた紐１３０ａ、１３０ｂとそれぞれ結ぶことで、湯浴み着１００を身体に固着することができる。なお、紐１１０ａ、１１０ｂの位置や本数は、図１、図２に示したものに限定されない。また、紐に代えて又は紐とともに、フック、面ファスナー又はボタンなど周知な固着部材を設けることが可能である。
【００２３】
（脚通し部１２０）
次に、本実施形態に特徴的な脚通し部１２０について説明する。
脚通し部１２０は、着用者の脚を通すものであり、図１、図２に示したように、被覆部１１０の側方に取り付けられている。図１（ａ）は、脚通し部１２０を筒状に広げた状態を示しており、図１（ｂ）は脚通し部１２０の筒状の部分を畳んだ状態を示している。また、図２（ａ）は、脚通し部１２０を筒状に形成する前の展開した状態、図２（ｂ）は、脚通し部１２０を筒状に形成した状態を示している。
【００２４】
図２（ａ）において符号Ａ１は、脚通し部１２０の一端で、脚通し部１２０と被覆部１１０との境界部を示している。脚通し部１２０と被覆部１１０との境界部Ａ１は、縫製等して容易には取り外しできない形態としてもよく、また、ボタン等で容易に取り外しできる形態としてもよい。また、脚通し部１２０と被覆部１１０とを同じ材料で一体に形成することもできる。
【００２５】
図２（ａ）において符号Ａ２は、脚通し部１２０の他端を示している。脚通し部１２０の他端Ａ２が、脚通し部１２０と被覆部１１０との境界部Ａ１に取り付けられることで、図２（ｂ）に示したように、脚通し部１２０が筒状となる。境界部分Ａ１と脚通し部１２０の他端Ａ２との取り付けは、縫製等して容易には取り外しできない形態としてもよく、また、ボタン等で容易に取り外しできる形態としてもよい。
【００２６】
同様に、図２（ａ）において符号Ｂ１は、脚通し部１２０の一端で、脚通し部１２０と被覆部１１０との境界部を示している。脚通し部１２０と被覆部１１０との境界部Ｂ１は、縫製等して容易には取り外しできない形態としてもよく、また、ボタン等で容易に取り外しできる形態としてもよい。また、脚通し部１２０と被覆部１１０とを同じ材料で一体に形成することもできる。
【００２７】
図２（ａ）において符号Ｂ２は、脚通し部１２０の他端を示している。脚通し部１２０の他端Ｂ２が、脚通し部１２０と被覆部１１０との境界部Ｂ１に取り付けられることで、図２（ｂ）に示したように、脚通し部１２０が筒状となる。境界部分Ｂ１と脚通し部１２０の他端Ｂ２との取り付けは、縫製等して容易には取り外しできない形態としてもよく、また、ボタン等で容易に取り外しできる形態としてもよい。
【００２８】
脚通し部１２０は、図１（ａ）、図２（ｂ）に示した筒状で、湯浴み着１００の着用者が脚から太股を通せる程度のサイズである。図２（ａ）の展開した状態で、脚通し部１２０の長さを、例えば６５ｃｍから７５ｃｍ程度とすると、図１（ａ）、図２（ｂ）に示した筒状の直径を２０ｃｍ〜２５ｃｍ程度にすることができる。このサイズは、標準的な体型の着用者にとって着用しやすいものである。なお、着用者の身体の大きさに合わせて各種のサイズを採用することが可能である。
【００２９】
なお、図２において未説明の符号Ｃは、係止部１３０が取り付けられる部分であり、その詳細はさらに後述する。
【００３０】
（係止部１３０）
上述した脚通し部１２０のみでは、被覆部１１０を着用者の身体に固着することは難しい。そこで、湯浴み着１００は、被覆部１１０を身体に固着するための係止部１３０をさらに備えている。係止部１３０は、図１、図３に示したように、被覆部１１０に取り付けられている。
【００３１】
係止部１３０は、図３（ａ）に示した符号Ｃの部分で係止部１３０を折り返して身体に巻き回すことによって、被覆部１１０が外れないようにする本来の機能のほか、係止部１３０で被覆部１１０を覆う機能を有する。このような係止部１３０の形態は、「パレオ」として知られる形態に類似している。パレオ状の係止部１３０を折り返して、被覆部１１０を覆うように着用者の腹部に回すことにより、外見では被覆部１１０を視認することができず、単にバスタオルを巻いているように見せることができ、他人に違和感を与えない。
【００３２】
図３（ａ）に示した係止部１３０の着用時の高さ方向の長さは、被覆部１１０の高さ方向の長さ以上であり、例えば７５ｃｍ〜８５ｃｍ程度とすることができる。また、図３（ａ）、図３（ｂ）に示した係止部１３０の身体に巻き付ける方向の長さは、例えば約１４５ｃｍから１５５ｃｍ程度にすることができる。この長さは、着用者の身体を一週半程度、余裕を持って巻き回しできることを想定した長さである。なお、係止部１３０のサイズは、着用者の大きさや被覆部１１０のサイズにあわせて種々選択することができる。
【００３３】
図３（ａ）において符号Ｃは、係止部１３０の長さ方向の端部の近傍に設けられた取り付け部である。この取り付け部Ｃにおいて、係止部１３０が被覆部１１０に取り付けられる。図３（ｂ）は、係止部１３０が被覆部１１０に取り付けた状態で、高さ方向に見た状態を示す図である。なお、この係止部１３０の取り付けは、縫製等して容易には取り外しできない形態としてもよく、また、ボタン等で容易に取り外しできる形態としてもよい。また、係止部１３０と被覆部１１０とを同じ材料で一体に形成することもできる。
【００３４】
また、係止部１３０には、図１に示したように、２カ所に紐１３０ａ、１３０ｂが設けられている。この紐１３０ａ、１３０ｂは、係止部１３０を折り返して身体に巻き回した後に、被覆部１１０に設けられた紐１１０ａ、１１０ｂとそれぞれ結ぶことで、湯浴み着１００を身体に固着することができる。なお、紐１３０ａ、１３０ｂの位置や本数は、図１に示したものに限定されない。また、紐に代えて又は紐とともに、フック、面ファスナー又はボタンなど周知な固着部材を設けることが可能である。
【００３５】
なお、本実施形態では、係止部１３０の形態としてパレオ状のものを例に挙げて説明するが、本発明はこれに限定されず、あらゆる形態の係止部を採用することができる。例えば、単に紐状のものであってもよい。ただし係止部が被覆部を覆う構成とすることにより、被覆部のめくれや外れをより効果的に防止できるだけでなく、外見では被覆部を視認できないようにすることで、単にバスタオルを巻いているように見せることができ、他人に違和感を与えない。なお、係止部を紐状にする場合には、主に被覆部１１０のみで身体を覆うことになるので、被覆部１１０を適切な形状及び大きさにする必要がある。
【００３６】
（湯浴み着の着用方法）
次に、本実施形態にかかる湯浴み着１００の着用方法について、図４〜図６を参照しながら説明する。ここでは、着用者が椅子などに座った状態で、湯浴み着１００を着用する例について説明する。
【００３７】
まず、湯浴み着１００の着用者は、図４（ａ）に示したように、湯浴み着１００を膝の上に載せた状態で、脚を通す脚通し部１２０を筒状に広げる。そして、図４（ｂ）に示したように、片脚を脚通し部１２０に通し、次いで、図４（ｃ）に示したように、他方の脚を脚通し部１２０に通す。この際、着用者に介助者のサポートが必要な場合であっても、筒状の部分に脚を通すだけであるから、着用は容易である。
【００３８】
そして、膝の上まで両脚を脚通し部１２０に通した後、パレオ状の係止部１３０を腹部に巻くための準備をする。例えば、図５（ａ）に示したように、被覆部１１０から最も遠い辺が上になるように係止部１３０を持って係止部１３０を広げる。そして、係止部１３０を持った部分が身体の下側になるように係止部１３０を折り畳み、図５（ｂ）に示したように、係止部１３０の他方の辺に持ち替える。そして、図５（ｃ）に示したように、係止部１３０を腹部に巻き付ける。この際も、着用者は腰を上げる必要がないため、着用は容易である。
【００３９】
そして、係止部１３０を腹部の周りに巻いて、図６（ａ）に示したように、被覆部１１０に設けられた紐１１０ａ、１１０ｂと係止部１３０に設けられた紐１３０ａ、１３０ｂとを結んで、湯浴み着１００を身体に固着する。以上の動作で、図６（ｂ）に示したように、湯浴み着１００の着用が完成する。
【００４０】
図６（ｃ）は、湯浴み着１００を着用した後に、立ち上がった状態を示している。この状態では、パレオ状の係止部１３０を着用者の腹部に回すことにより、外見では被覆部１１０を視認することができない。単にバスタオルを巻いているように見せることができ、他人に違和感を与えない。
【００４１】
以上説明したように、本実施形態によれば、湯浴み着１００に脚通し部１２０を備えたことにより、タオル等のように使用中で落下することがない。さらに、タオル等で隠すのと違い、両手が自由に使える。さらに浴場では、湯あみ着の上下からの掛け湯が可能である。また、湯に浸かる際、脚通し部１２０に脚を通したことで、湯浴み着１００のめくれ防止になる。
【００４２】
また、座ったまま自分で簡単に装着できるだけでなく、介助者がサポートする場合にも、被介助者が座ったままの状態で簡単に装着することが可能である。また、介助者も同じ湯あみ着を装着することで、身体を密着させるような介助をしてもタオル等のように使用中に落下することがない。さらに、介助者が同じ湯浴み着を着用することで、被介助者と一緒に入浴を楽しむことができる。
【００４３】
また外観上も、遠目からは単にバスタオルを巻いているように見え、例えばおむつに間違われることがない。広い浴場施設を移動する際や、露天の湯巡り施設で着用しても、外観に優れている。このため、例えば温泉施設の撮影に使用するなどの応用も可能である。
【００４４】
また、湯浴み着に防水・撥水加工処理を施したり、防水・撥水加工された素材を用いたりすることも可能である。湯浴み着を着用したまま脱衣所へ移動しても脱衣所がビチャビチャになるのを効果的に防止することができる。また、抗菌処理を施すことにより、清潔に使用することができる。特に、露天の湯巡り施設で使用する際に、別の温泉地で浸み込んだ成分（有害物質／レジオネラ菌等）が転移することを効果的に低減することが可能である。
【００４５】
（第２の実施形態）
第２の実施形態にかかる湯浴み着について、図７、図８を参照しながら説明する。本実施形態の湯浴み着は、着用者の身体を覆う被覆部が胸部ほどまである女性用のものを想定している。図７（ａ）は、湯浴み着の全体構成を示しており、図７（ｂ）は、図７（ａ）の湯浴み着を着用した状態を示している。図８は、図７の湯浴み着の詳細を示す図であり、図８（ａ）は展開した状態を示し、図８（ｂ）は真下方向から見た状態を示している。
【００４６】
まず、図７を参照しながら、本実施形態にかかる湯浴み着２００の構成を説明する。湯浴み着２００は、図７（ａ）に示したように、身体を覆う被覆部２１０と、被覆部２１０に取り付けられ、着用者の脚を通す筒状の脚通し部２２０と、被覆部２１０に取り付けられ又は被覆部２１０と一体に形成され、着用者の身体に係止して被覆部２１０を身体に固着する係止部２３０とを備えて構成されている。
【００４７】
（被覆部２１０）
被覆部２１０は、図８（ａ）の展開した状態で、末広がりの台形状、又は台形状を少し湾曲させたバームクーヘンの一部のような形状で構成されている。被覆部２１０の着用時の高さ方向の長さは、膝上ほどから胸部ほどまでを覆う長さであり、例えば１００ｃｍ程度とすることができる。これは女性用の被覆部２１０として適切な長さである。なお、着用者の身体の大きさに合わせて各種のサイズを採用することが可能である。
【００４８】
また、被覆部２１０の身体に巻き付ける方向の長さは、例えば約１４５ｃｍから１５５ｃｍ程度にすることができる。この長さは、着用者の身体を、余裕を持って一週半程度巻き回しできることを想定した長さである。なお、図７（ａ）、図８（ａ）に示した符号２１０ａは、被覆部２１０を身体に巻き回した後に、被覆部２１０を固定できるように、適当な位置に設けた紐、フック、面ファスナー又はボタンなど周知な固定部材である。着用者は、被覆部２１０を身体に巻き回した後に、この固定部材２１０ａを用いて、被覆部２３０を身体に固定することができる。このような固定部材については周知であることから、より詳細な説明を省略する。
【００４９】
（脚通し部２２０）
脚通し部２２０は、着用者の脚を通すものであり、図８（ａ）に示したように、被覆部２１０の裏面又は側方に取り付けられている。脚通し部２２０と被覆部２１０とは、縫製等して容易には取り外しできない形態としてもよく、また、ボタン等で容易に取り外しできる形態としてもよい。また、脚通し部２２０と被覆部２１０とを同じ材料で一体に形成することも可能である。
【００５０】
図８（ｂ）は、図８（ａ）の展開した状態から、被覆部２１０を巻き回して下方向から見た状態を模式的に示している。脚通し部２２０は、図８（ａ）、図８（ｂ）に示した筒状で、湯浴み着２００の着用者が脚から太股を通せる程度のサイズである。例えば図８に示した筒状の直径を２０ｃｍ〜２５ｃｍ程度にすることができる。このサイズは、標準的な体型の着用者にとって着用しやすいものである。なお、身体の大きさに応じて各種のサイズを採用することが可能である。
【００５１】
（係止部２３０）
係止部２３０は、被覆部２１０に取り付けられ、着用者の肩部に係止して、被覆部２１０を身体に固着するためのものである。係止部２３０は、図７、図８に示した一例では２カ所設けられており、それぞれを腕から通して肩部に掛けることが可能である。係止部２３０と被覆部２１０とは、縫製等して容易には取り外しできない形態としてもよく、また、ボタン等で容易に取り外しできる形態としてもよい。また、係止部２３０と被覆部２１０とを同じ材料で一体に形成することもできる。なお、係止部の構成はこの例に限定されず、他の形態であってもよい。例えば、係止部を首部に掛けるように、１つのみ設けるようにしてもよい。
【００５２】
以上説明したように、本実施形態によれば、主に女性用の湯浴み着として、上記第１の実施形態と同様の効果が得られる。なお、浴衣のように１枚の布を巻くようにすれば、着用者が座ったままでも着用することが可能である。
【００５３】
（第３の実施形態）
第３の実施形態にかかる湯浴み着について、図９を参照しながら説明する。本実施形態の湯浴み着は、上記第１の実施形態にかかる湯浴み着のうち、脚通し部の部分に特徴を有するものである。本実施形態では、湯浴み着の被覆部と脚通し部の部分についてのみ説明することとし、その他の部分については、上記第１の実施形態と同様であるため、重複説明を省略する。図９は、本実施形態にかかる湯浴み着の被覆部と脚通し部の部分を示す図であり、図９（ａ）は脚通し部を展開した状態を示し、図９（ｂ）は図９（ａ）の反対面を示し、図９（ｃ）は脚通し部を筒状にした状態を示す。
【００５４】
被覆部３１０は、図９（ａ）に示したように、方形状又は末広がりの台形状に構成されており、そのサイズ等は、第１の実施形態で説明した被覆部１１０と同程度に構成することができる。なお、図９には、湯浴み着を身体に固着するための紐の図示を省略しているが、この点も第１の実施形態と同様に構成することができる。
【００５５】
本実施形態の被覆部３１０は、図９（ａ）に示したように、一の面に面ファスナー３１０ａを備えている。この面ファスナー３１０ａは、後述する脚通し部３２０に設けられた面ファスナー３２０ａ、３２０ｂと固着するためのものである。
【００５６】
脚通し部３２０は、着用者の脚を通すものであり、図９（ａ）に示したように、被覆部３１０の側方に取り付けられている。脚通し部３２０のサイズ等は、第１の実施形態で説明した脚通し部１２０と同程度に構成することができる。
【００５７】
図９（ｂ）は、図９（ａ）の状態から裏返した反対面である。図９（ｂ）において符号３２０ｃは、脚通し部３２０を被覆部３１０に取り付ける取り付け部３２０ｃを示している。取り付け部３２０ｃは、縫製等して容易には取り外しできない形態としてもよく、また、ボタン等で容易に取り外しできる形態としてもよい。また、脚通し部３２０と被覆部３１０とを同じ材料で一体に形成することもできる。
【００５８】
脚通し部３２０の端部には、図９（ａ）に示したように、それぞれ面ファスナー３２０ａ、３２０ｂが設けられている。着用者は、図９（ｃ）に示したように、脚通し部３２０を脚に巻き回した後、面ファスナー３２０ａ、３２０ｂを、上述した被覆部３１０の面ファスナー３１０ａに固着することにより、身体に装着することができる。
【００５９】
以上説明したように、本実施形態によれば、脚通し部３２０の筒状の部分を面テープで留めることにより、筒状の内径を調整することが可能である。また、脚通し部３２０に脚を通す際、脚を持ち上げなくても面テープであれば太もも部分を一周させて留めることで、装着しやすい。なお、本実施形態では面テープについて説明したが、本発明はこれに限定されない。例えばボタンやベルト等を採用しても、本実施形態と同様の効果を得ることが可能である。
【００６０】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６１】
例えば、上記実施形態では、脚通し部に両脚を通す場合を例に挙げて説明したが、本発明はこれに限定されず、脚通し部を１つだけ設け、脚通し部に片脚だけを通すようにしてもよい。
【００６２】
また、上記第１の実施形態では、主に男性用の湯浴み着として、係止部を腹部に係止する例を説明したが、本発明はこれに限定されない。例えば、サスペンダーのように、係止部を首部や肩部に通す形態にしてもよい。また、係止部を腹部と肩部など２カ所以上に設けてもよい。
【００６３】
また、上記第２の実施形態では、主に女性用の湯浴み着として、係止部を首部や肩部に係止する例を説明したが、本発明はこれに限定されない。例えば、ノースリーブのように、係止部を脇の下に通すようにしてもよい。この際、係止部にゴムを入れることで、ゴムの弾性力により係止部を身体に固着するようにしてもよい。
【００６４】
なお、上記第２の実施形態で説明した湯浴み着のデザインは、湯浴み着以外の通常のワンピースやスカートや浴衣等に応用することも可能である。ワンピースやスカートや浴衣等のめくれを効果的に防止することができる。この際、左脚用の脚通し部と右脚用の脚通し部を接着・縫合等してもよい。
【００６５】
湯浴み着を構成する各部位の材質・素材は、いかなるものであってもよい。防水・撥水機能（防水・撥水処理）や、抗菌機能（抗菌処理）のほか、肌触り、質感、色彩、模様、コストなどあらゆる観点から好適な材質・素材を決定することが可能である。
【産業上の利用可能性】
【００６６】
本発明は、入浴の際に身にまとう湯浴み着に利用可能である。
【符号の説明】
【００６７】
１００  湯浴み着（第１の実施形態）
１１０  被覆部
１１０ａ、１１０ｂ  紐
１２０  脚通し部
１３０  係止部
１３０ａ、１３０ｂ  紐
２００  湯浴み着（第２の実施形態）
２１０  被覆部
２１０ａ  固定部材
２２０  脚通し部
２３０  係止部
【図１】
2014118635.tif 000003
【図２】
2014118635.tif 000004
【図３】
2014118635.tif 000005
【図４】
2014118635.tif 000006
【図５】
2014118635.tif 000007
【図６】
2014118635.tif 000008
【図７】
2014118635.tif 000009
【図８】
2014118635.tif 000010
【図９】
2014118635.tif 000011